(57)【要約】【課題】排水装置の構造が複雑化せず簡単で、生産性が向上し、より低床化であって、レリースワイヤ挿入口の取付寸法に余裕があり、更に防水パン内が汚れにくく且つ清掃性が良い排水装置を提供する。【解決手段】浴槽１の排水口１１と取水部材４間を連結する接続部材５と、前記接続部材５と取水部材４間を水密的に止水する水密部材６と、から構成される排水装置において、前記フランジ部材３に、水密部材６が当接する当接部７を構成し、かつ該当接部７を前記取水部材４の上面部４３より下方に位置するように構成した。【選択図】図１
2014129699.tif 000002
【特許請求の範囲】
【請求項１】
箱体であって、底部に排水口１１を構成した浴槽１と、
浴槽１が載置されて、浴槽１内の排水及び防水パン２上の排水を下流へと排水するための開口部２３を構成した防水パン２と、
筒状部材であって、上端に外側方向に突出して構成されるフランジを構成したフランジ部材３と、
前記開口部２３裏面にフランジ部材３と共同して取り付けられる、上端に防水パン２裏面に当接する上面部４３を有した取水部材４と、
前記浴槽１の排水口１１と取水部材４間を連結する接続部材５と、
前記接続部材５と取水部材４間を水密的に止水する水密部材６と、
から構成される排水装置において、
前記フランジ部材３に、水密部材６が当接する当接部７を構成し、かつ該当接部７を前記取水部材４の上面部４３より下方に位置するように構成したことを特徴とする排水装置。
【請求項２】
箱体であって、底部に排水口１１を構成した浴槽１と、
浴槽１が載置されて、浴槽１内の排水及び防水パン２上の排水を下流へと排水するための開口部２３を構成した防水パン２と、
前記開口部２３裏面に取り付けられる、上端に防水パン２裏面に当接する上面部４３を有した取水部材４と、
前記取水部材４を防水パン２の裏面に取り付けるための固定部材９と、
前記浴槽１の排水口１１と取水部材４間を連結する接続部材５と、
前記接続部材５と取水部材４間を水密的に止水する水密部材６と、
から構成される排水装置において、
前記取水部材４に、水密部材６が当接する当接部７を構成し、かつ該当接部７を前記取水部材４の上面部４３より下方に位置するように構成したことを特徴とする排水装置。
【請求項３】
前記取水部材４内部に封水を備え、前記当接部７を該封水面より下方に位置するように構成したことを特徴とする前記請求項１又は請求項２に記載の排水装置。
【請求項４】
前記接続部材５を筒状に構成するとともに、接続部材５外周とフランジ部材３または取水部材４内周の間に隙間を構成し、当該隙間の間及び当接部７上で水平方向に位置調整可能に接続部材５が配置されることを特徴とする前記請求項１乃至請求項３のいずれか一つに記載の排水装置。
【請求項５】
前記接続部材５を筒状に構成するとともに、接続部材５下端と当接部７上面の間に水密部材６を配置し、更に当接部７上で垂直方向に高さ調整可能に配置されることを特徴とする前記請求項１乃至請求項４のいずれか一つに記載の排水装置。
【請求項６】
前記接続部材５を、浴槽１の排水口１１の通水面積よりも大きい通水面積となるように構成したことを特徴とする前記請求項１乃至請求項５のいずれか一つに記載の排水装置。
【請求項７】
前記接続部材５に、浴槽１以外からの排水を接続部材５内に流入させる流入口８を構成したことを特徴とする前記請求項１乃至請求項６のいずれか一つに記載の排水装置。
【請求項８】
前記フランジ部材３に、浴槽１以外からの排水を取水部材４内に流入させる流入口８を構成したことを特徴とする前記請求項１及び請求項３乃至請求項５のいずれか一つに記載の排水装置。
【請求項９】
前記流入口８に、浴槽１以外からの排水が流入口８を介して接続部材５内部に流入した際には通水許可するとともに、接続部材５内部の排水が流入口８を介して接続部材５外へ逆流することを防止する逆流防止弁Ｂを配置構成したことを特徴とする前記請求項７又は請求項８に記載の排水装置。
【請求項１０】
前記逆流防止弁Ｂをスイング式逆流防止弁Ｂとしたことを特徴とする前記請求項８に記載の排水装置。
【請求項１１】
前記フランジ部材３の当接部７を、フランジ部材３の下端から内側方向に向かって突出して構成したことを特徴とする前記請求項１乃至請求項８のいずれか一つに記載の排水装置。
【請求項１２】
前記水密部材６を蛇腹形状としたことを特徴とする前記請求項１乃至請求項１１のいずれか一つに記載の排水装置。
【請求項１３】
前記接続部材５に遠隔操作式排水栓装置用のレリースワイヤ挿入口５１を構成したことを特徴とする前記請求項１乃至請求項１２のいずれか一つに記載の排水装置。
【請求項１４】
前記接続部材５のレリースワイヤ挿入口５１から浴槽１の排水口１１までに、レリースワイヤ挿入用ガイド５２を構成したことを特徴とする前記請求項１３に記載の排水装置。
【発明の詳細な説明】
【技術分野】
【０００１】
本発明は、浴室の排水口の下水からの異臭や害虫の室内側への逆流を防止する排水トラップを含む排水装置に関するものである。
【背景技術】
【０００２】
従来よく知られた排水装置としては、例えば図１１に示した排水装置がある。
本従来例の排水装置が用いられる排水設備は、図１１に示すように浴室に取り付けられる排水装置である。（特許文献１）
浴室は、使用者が体を洗う洗い場パンと、浴槽が載置される浴槽パンとから成る防水パンによって構成され、それぞれの防水パンには排水用の開口部が構成されている。
浴槽パンには取水部材が配置構成され、取水部材は排水トラップの排水枝管に管体などを介して接続される。取水部材は断面視Ｌ字状の配管部材であって、浴槽内の排水及び、浴槽パン上に発生した排水を排水トラップ側へと排出する。
また洗い場パンの開口部には、排水トラップが配置構成されており、洗い場パン上に発生した排水は開口部を介して排水トラップ内へと排水される。また、前記取水部材が排水トラップの排水枝管に接続されている為、取水部材内の排水も排水トラップ内へと排水されることとなる。排水トラップ内の排水は、最終的には排出口から下水管へと排水されることとなる。
本従来例の排水設備である浴室に備えられる排水装置は、浴槽と、防水パンと、フランジ部材と、取水部材と、当接部と、接続部材と、水密部材と、から構成される。
浴槽は、箱体であって、底部に浴槽内の排水を排出する為の排水口を開口している。また、当該排水口には、排水栓と呼ばれる、外周に雄ねじを刻設した円筒体に上端に外側方向に凸出する鍔を構成した部材を水密的に取り付ける。
防水パンは、前記した排水設備である浴槽パン及び洗い場パンを総称して防水パンと呼ぶが、特に本従来例では特に浴槽パンを指して防水パンと呼ぶ。
フランジ部は、後記する取水部材を取り付けるための部材であって、外周に雄ねじを刻設する円筒状かつ上端に外側方向に向けて突出して構成するフランジを備える。
取水部材は、断面視Ｌ字状のエルボ体であって、排水が流入する入口と、排水が流出する出口を構成している。また、入口上端には、外側方向に向かって突出して構成される上面部が構成されている。そして、入口内周面には、前記フランジ部材の雄ねじが螺合する雌ねじが螺設して構成される。また、取水部材内部は排水経路が二経路構成されており、このうち浴槽からの排水経路を浴槽排水経路と呼び、また、防水パンである浴槽パン上からの排水経路を防水パン排水経路と呼ぶ。
当接部は、流入部を開口しており、浴槽からの排水経路と、浴槽パンである防水パン上からの排水とを分断して別経路とするために、当接部の流入部を、浴槽排水流入部と、防水パン排水流入部と二つ構成している。当該流入部は当接部に構成されつつ取水部材に取付られている。当該当接部は流入部及び排水経路を分断する壁を構成している為、取水部材とは別体で構成され、接着等で取水部材に水密的に接続される。また、当接部は、後記する水密部材を介して接続部材が水密的に当接される。
接続部材は、浴槽の排水栓に接続される部材であって、上端に排水栓の雄ねじと螺合する雌ねじを構成した円筒状の筒体である。また、下端に後記する水密部材を取り付けており、水密部材を介して接続部材は当接部に当接する。このようにすることで、浴槽内の排水は取水部材の入口を介して直接的に浴槽排水経路に排水されることとなる。また、接続部材には、側面に流入口を構成しているので、浴槽パン上に発生した排水や洗い場側からの排水の逆流により、浴槽パン上に排水が溢れる場合には、流入口から接続部材内へと排水が流入する。
水密部材は、ゴムなどの軟質材から構成されており、前記接続部材の下端に接続されている。水密部材の下端は、前記当接部に当接されることとなる。
【０００３】
上記の従来例の排水装置は、以下のように取り付けられる。
予め工場などで、取水部材の当接部を水密的に接続しておく。その後、施工現場にて、浴槽の排水口に排水栓を取付け浴槽の排水口に排水栓の鍔を係止させ、浴槽下方から接続部材の雌ねじを排水栓の雄ねじに螺合させることによって、浴槽排水口を挟持するように排水栓と接続部材が浴槽に取り付けられる。また、防水パンである洗い場パンの開口部に排水トラップを取り付ける。当該排水トラップは、下水からの異臭や害虫の室内側への逆流を、内部に貯水した封水により防止するものである。また、防水パンである浴槽パンの開口部に取水部材を取り付ける。この取水部材の取付は、フランジ部材によって行われる。具体的には、防水パン（浴槽パン）の開口部に上面からフランジ部材のフランジを係止させ、防水パンの裏面から取水部材の上面部を防水パンの裏面に当接させ、フランジ部材の雄ねじと取水部材の入口に形成した雌ねじを螺合させる。そうすると、防水パンの開口部に取水部材を取り付けることが出来る。また、その後、取水部材の出口と排水トラップの枝管を水密的に接続して取付が完了する。尚、本従来例では、取水部材の出口と排水トラップの枝管を施工現場にて取り付けているが、予め工場などで接続しておき、施工現場では排水トラップと洗い場パン、取水部材と浴槽パンの取付のみ行っても良い。
そして、接続部材下端に水密部材を取付け、浴槽の排水口を取水部材に接着などで取り付けられた当接部上にくるように防水パンに載置する。このとき、浴槽の排水口は、取水部材の当接部に開口した浴槽排水流入部の上にくるように位置調整しつつ浴槽を載置する。そうすると、接続部材下端に取り付けた水密部材が当接部の浴槽排水入口上に水密的に当接するので、浴槽内の排水が浴槽パン上に流出することなく円滑に取水部材の浴槽排水流路内に排水される。このようにして施工が完了する。
【０００４】
上記の構成の従来の排水装置は以下のような排水の流れである。
洗い場パン上に排水が発生した際には、洗い場パンの開口部から排水トラップ内に排水が排水される。排水トラップ内の排水は、防臭パイプを通過し、オワン部内に排水され、防臭パイプ下端とオワン部底部の隙間から排水は流れ、オワン部から溢れ、最終的には排出口から下水へと排水されることとなる。
また、浴槽内の排水は、浴槽の排水口から排水栓を介して排水されるが、排水栓から接続部材、水密部材、当接部の浴槽排水流入部を介して取水部材の浴槽排水経路へと排水される。その後、取水部材内の排水は取水部材の出口から枝管へ排水され、最終的には排水トラップへと排水される。
防水パンである浴槽パン上に発生した排水は、浴槽パンに取り付けられた取水部材の当接部に構成した、防水パン排水流入部を介して取水部材内の、防水パン排水経路に流入する。その後、排水は取水部材の出口から排水トラップの枝管を介し、排水トラップへと排水される。
また、防水パン排水経路について、洗い場などから多量の排水が排水された場合に、防水パン排水経路内だけでは排水の排出が追いつかず浴槽パン上に排水が逆流することがある。このような場合においては、接続部材の側面に開口した流入口から浴槽排水経路内へと逆流水が流入するので、浴槽パン上に排水があふれ出すことは最小限にくい止められる。
【０００５】
従来よく知られた排水装置としては、例えば図１２に示した排水装置がある。
本従来例の排水装置が用いられる排水設備は、図１２に示すように浴室に取り付けられる排水装置である。（特許文献２）
浴室の構造は、前記従来例と同一のため省略する。
本従来例の排水設備である浴室に備えられる排水装置は、浴槽と、浴槽パンとしての防水パンと、フランジ部材と、取水部材と、当接部と、接続部材と、水密部材と、から構成される。
浴槽は、箱体であって、底部に浴槽内の排水を排出する為の排水口を開口している。また、当該排水口には、排水栓と呼ばれる、外周に雄ねじを刻設した円筒体に上端に外側方向に凸出する鍔を構成した部材を水密的に取り付ける。
防水パンは、前記した排水設備である浴槽パン及び洗い場パンを総称して防水パンと呼ぶが、特に本従来例では特に浴槽パンを指して防水パンと呼ぶ。
フランジ部材は、後記する取水部材を取り付けるための部材であって、外周に雄ねじを刻設する円筒状かつ上端に外側方向に向けて突出して構成するフランジを備える。また、本従来例は、フランジ部材内周から内側方向に向かって飛び出して構成する後記する当接部を備える。
取水部材は、断面視Ｌ字状のエルボ体であって、排水が流入する入口と、排水が流出する出口を構成している。また、入口上端には、外側方向に向かって突出して構成される上面部が構成されている。そして、入口内周面には、前記フランジ部材の雄ねじが螺合する雌ねじが螺設して構成される。
当接部は、フランジ部内周に内側方向に向かって突出して構成するフランジである。この当接部は浴槽からの排水及び防水パンからの排水が流入する流入部を開口構成している。また、当接部は、後記する水密部材を介して接続部材が水密的に当接される。そして、当該当接部は、防水パンの上面と略同一の位置に構成される。
接続部材は、浴槽の排水栓に接続される部材であって、上端に排水栓の雄ねじと螺合する雌ねじを構成した円筒状の筒体部及び筒体から外周方向に向かって平板状のカバー体が構成される。このカバー体は、後述する水密部材を介して当接部を閉塞する。また、接続部材の裏面には水密部材を取り付けており、水密部材を介して接続部材は当接部上面に当接する。このようにすることで、浴槽内の排水は取水部材の入口を介して直接的に浴槽排水経路に排水されることとなる。また、接続部材には、カバー体部分に流入口を構成しているので、浴槽パン上に発生した排水や洗い場側からの排水の逆流により、浴槽パン上に排水が溢れる場合には、接続部材に構成した流入口から排水が取水部材側へ排水されることとなる。
また、接続部材には、レリースワイヤ挿入口が構成されており、遠隔操作式排水栓装置のレリースワイヤが挿通される。当該遠隔操作式排水栓装置は、浴槽の排水口に構成された弁体を、浴槽の上縁に構成された操作部の操作によって弁体が上下動し、浴槽の排水口の開栓及び閉栓をコントロールするものである。当該レリースワイヤは、接続部材のレリースワイヤ挿入口から取水部材内を挿通し、浴槽の排水口を介して排水栓内部に配置される。
水密部材は、前記接続部材の下端に接続されるゴムなどから成るパッキンが取り付けられている。水密部材の下端は、前記当接部に当接されることとなる。
【０００６】
上記の従来例の排水装置は、以下のように取り付けられる。
施工現場にて、浴槽の排水口に排水栓を取付け浴槽の排水口に排水栓の鍔を係止させ、浴槽下方から接続部材の雌ねじを排水栓の雄ねじに螺合させることによって、浴槽排水口を挟持するように排水栓と接続部材が浴槽に取り付けられる。また、防水パンである洗い場パンの開口部に排水トラップを取り付ける。当該排水トラップは、下水からの異臭や害虫の室内側への逆流を、内部に貯水した封水により防止するものである。また、防水パンである浴槽パンの開口部に取水部材を取り付ける。この取水部材の取付は、フランジ部材によって行われる。具体的には、防水パン（浴槽パン）の開口部に上面からフランジ部材のフランジを係止させ、防水パンの裏面から取水部材の上面部を防水パンの裏面に当接させ、フランジ部材の雄ねじと取水部材の入口に形成した雌ねじを螺合させる。そうすると、防水パンの開口部に取水部材を取り付けることが出来る。また、その後、取水部材の出口と排水トラップの枝管を水密的に接続して取付が完了する。尚、本従来例では、取水部材の出口と排水トラップの枝管を施工現場にて取り付けているが、予め工場などで接続しておき、施工現場では排水トラップと洗い場パン、取水部材と浴槽パンの取付のみ行っても良い。
そして、接続部材裏面に構成された水密部材をフランジ部材に構成された当接部上にくるように防水パンに浴槽を載置する。そうすると、接続部材下裏面に配置された水密部材が当接部の流入部上に水密的に当接するので、浴槽内の排水が浴槽パン上に流出することなく円滑に取水部材内に排水される。このようにして施工が完了する。
【０００７】
上記の構成の従来の排水装置は以下のような排水の流れである。
洗い場パン上に排水が発生した際には、洗い場パンの開口部から排水トラップ内に排水が排水される。排水トラップ内の排水は、防臭パイプを通過し、オワン部内に排水され、防臭パイプ下端とオワン部底部の隙間から排水は流れ、オワン部から溢れ、最終的には排出口から下水へと排水されることとなる。
また、浴槽内の排水は、浴槽の排水口から排水栓を介して排水されるが、排水栓から接続部材、当接部の流入部、取水部材の入口を介して取水部材へと排水される。その後、取水部材内の排水は取水部材の出口から枝管へ排水され、最終的には排水トラップへと排水される。
防水パンである浴槽パン上に発生した排水は、接続部材に構成した流入口を介して取水部材内の、防水パン排水経路に流入する。その後、排水は取水部材の出口から排水トラップの枝管を介し、排水トラップへと排水される。
【先行技術文献】
【特許文献】
【０００８】
【特許文献１】特開２００８−２８０８０９号公報
【特許文献２】特開２００４−１５６３６２号公報
【発明の概要】
【発明が解決しようとする課題】
【０００９】
前記した従来例の排水装置では以下のような問題があった。
従来の図１１（特許文献１）における排水装置は、当接部が取水部材に構成されている為、構造的に当接部は取水部材本体とは別パーツに構成せねばならない。また、当接部はその機能上、水密的に取水部材に取付なければならず、接着剤などで水密的に取り付けなければならない。また、取水部材内を経路で分断しているため、当接部に壁を構成するか、取水部材側に壁が構成されているので接着や溶着をするにしても非常に手間がかかる。従って、特許文献１の技術は非常に生産性が悪い。
【００１０】
また、従来の図１２（特許文献２）における排水装置は、当接部が防水パンの上面と略同一面となるよう構成されている為、床下の配管ゾーンの高さや、浴槽のまたぎ込み高さを低くすることができない。また、当接部が防水パンの上面と略同一に構成されていることから、レリースワイヤ挿入口の取付寸法が小さく、レリースワイヤのガイドチューブ（ホース体）などを配置する寸法的余裕もない。
【００１１】
また、上記の従来例ともに言えることであるが、ただでさえ使用者の目の届きにくく洗いにくい箇所に配置される排水装置において、取水部材をフランジ部材で取り付けると、防水パンの開口部とフランジ部材の継ぎ目部分に汚れが付着しやすく、さらには汚れが取れにくいという問題がある。
【００１２】
以上のことから、本発明の排水装置は以下の課題を解決するものである。
１．排水装置の構造が複雑化せず簡単なもの
２．生産性が向上したもの
３．より低床化であるもの
４．レリースワイヤ挿入口の取付寸法に余裕があるもの
５．防水パン内が汚れにくく且つ清掃性が良いもの
【課題を解決するための手段】
【００１３】
本発明の排水装置は、箱体であって、底部に排水口１１を構成した浴槽１と、浴槽１が載置されて、浴槽１内の排水及び防水パン２上の排水を下流へと排水するための開口部２３を構成した防水パン２と、筒状部材であって、上端に外側方向に突出して構成されるフランジを構成したフランジ部材３と、前記開口部２３裏面にフランジ部材３と共同して取り付けられる、上端に防水パン２裏面に当接する上面部４３を有した取水部材４と、前記浴槽１の排水口１１と取水部材４間を連結する接続部材５と、前記接続部材５と取水部材４間を水密的に止水する水密部材６と、から構成される排水装置において、前記フランジ部材３に、水密部材６が当接する当接部７を構成し、かつ該当接部７を前記取水部材４の上面部４３より下方に位置するように構成したことを特徴とする排水装置である。
【００１４】
本発明の排水装置は、箱体であって、底部に排水口１１を構成した浴槽１と、浴槽１が載置されて、浴槽１内の排水及び防水パン２上の排水を下流へと排水するための開口部２３を構成した防水パン２と、前記開口部２３裏面に取り付けられる、上端に防水パン２裏面に当接する上面部４３を有した取水部材４と、前記取水部材４を防水パン２の裏面に取り付けるための固定部材９と、前記浴槽１の排水口１１と取水部材４間を連結する接続部材５と、前記接続部材５と取水部材４間を水密的に止水する水密部材６と、から構成される排水装置において、前記取水部材４に、水密部材６が当接する当接部７を構成し、かつ該当接部７を前記取水部材４の上面部４３より下方に位置するように構成したことを特徴とする排水装置である。
【００１５】
本発明の排水装置は、前記取水部材４内部に封水を備え、前記当接部７を該封水面より下方に位置するように構成したことを特徴とする前記段落００１３又は段落００１４に記載の排水装置である。
【００１６】
本発明の排水装置は、前記接続部材５を筒状に構成するとともに、接続部材５外周とフランジ部材３または取水部材４内周の間に隙間を構成し、当該隙間の間及び当接部７上で水平方向に位置調整可能に接続部材５が配置されることを特徴とする前記段落００１３乃至段落００１５のいずれか一つに記載の排水装置である。
【００１７】
本発明の排水装置は、前記接続部材５を筒状に構成するとともに、接続部材５下端と当接部７上面の間に水密部材６を配置し、更に当接部７上で垂直方向に高さ調整可能に配置されることを特徴とする前記段落００１３乃至段落００１６のいずれか一つに記載の排水装置である。
【００１８】
本発明の排水装置は、前記接続部材５を、浴槽１の排水口１１の通水面積よりも大きい通水面積となるように構成したことを特徴とする前記段落００１３乃至段落００１７のいずれか一つに記載の排水装置である。
【００１９】
本発明の排水装置は、前記接続部材５に、浴槽１以外からの排水を接続部材５内に流入させる流入口８を構成したことを特徴とする前記段落００１３乃至段落００１８のいずれか一つに記載の排水装置である。
【００２０】
本発明の排水装置は、前記フランジ部材３に、浴槽１以外からの排水を取水部材４内に流入させる流入口８を構成したことを特徴とする前記段落００１３及び段落００１５乃至段落００１７のいずれか一つに記載の排水装置である。
【００２１】
本発明の排水装置は、前記流入口８に、浴槽１以外からの排水が流入口８を介して接続部材５内部に流入した際には通水許可するとともに、接続部材５内部の排水が流入口８を介して接続部材５外へ逆流することを防止する逆流防止弁Ｂを配置構成したことを特徴とする前記段落００１９又は段落００２０に記載の排水装置である。
【００２２】
本発明の排水装置は、前記逆流防止弁Ｂをスイング式逆流防止弁Ｂとしたことを特徴とする前記段落００２０に記載の排水装置である。
【００２３】
本発明の排水装置は、前記フランジ部材３の当接部７を、フランジ部材３の下端から内側方向に向かって突出して構成したことを特徴とする前記段落００１３乃至段落００２０のいずれか一つに記載の排水装置である。
【００２４】
本発明の排水装置は、前記水密部材６を蛇腹形状としたことを特徴とする前記段落００１３乃至段落００２３のいずれか一つに記載の排水装置である。
【００２５】
本発明の排水装置は、前記接続部材５に遠隔操作式排水栓装置用のレリースワイヤ挿入口５１を構成したことを特徴とする前記段落００１３乃至段落００２４のいずれか一つに記載の排水装置である。
【００２６】
本発明の排水装置は、前記接続部材５のレリースワイヤ挿入口５１から浴槽１の排水口１１までに、レリースワイヤ挿入用ガイド５２を構成したことを特徴とする前記段落００２５に記載の排水装置である。
【発明の効果】
【００２７】
請求項１に記載の本発明は、フランジ部材３に、水密部材６が当接する当接部７を構成し、かつ該当接部７を前記取水部材４の上面部４３より下方に位置するように構成したことから、封水ラインより下方に当接部７を構成することができ、より低床化とすることができ、また、浴槽１のまたぎ込み高さを低くすることができる。
請求項２に記載の本発明は、取水部材４に、水密部材６が当接する当接部７を構成し、かつ該当接部７を前記取水部材４の上面部４３より下方に位置するように構成したことから、取水部材４を防水パン２裏面から直接的に取り付けることが出来りので、防水パン２の開口部２３にフランジ部材３などの継ぎ目ができないので、非常に清掃性に優れたものとなる。
請求項３に記載の本発明は、取水部材４内部に封水を備え、前記当接部７を該封水面より下方に位置するように構成したことから、浴室の床下配管空間を低くすることができ、また浴槽１のまたぎ込み高さを低くすることができるようになった。
請求項４に記載の本発明は、接続部材５を筒状に構成するとともに、接続部材５外周とフランジ部材３または取水部材４内周の間に隙間を構成し、当該隙間の間及び当接部７上で水平方向に位置調整可能に接続部材５が配置したことから、浴槽１を防水パン２上に設置する際に、接続部と当接部７の位置合わせを当接部７上で水平方向の位置調整をすることができるので、非常に施工性が向上した。
請求項５に記載の本発明は、接続部材５を筒状に構成するとともに、接続部材５下端と当接部７上面の間に水密部材６を配置し、更に当接部７上で垂直方向に高さ調整可能に配置したことから、浴槽１を防水パン２上に設置する際に、接続部と当接部７の位置合わせを当接部７上で垂直方向の位置調整をすることができるので、非常に施工性が向上した。
請求項６に記載の本発明は、接続部材５の下方の開口の通水面積を、浴槽１の排水口１１の通水面積よりも大きい通水面積となるように構成したことから、浴槽１からの排水の排水流量を増加させることができる。
請求項７に記載の本発明は、接続部材５に、浴槽１以外からの排水を接続部材５内に流入させる流入口８を構成したことから、防水パン２（浴槽パン２１）上に発生した排水を取水部材４内部へと排水することができる。
請求項８に記載の本発明は、フランジ部材３に、浴槽１以外からの排水を取水部材４内に流入させる流入口８を構成したことから、防水パン２（浴槽パン２１）上に発生した排水を取水部材４内部へと排水することができる。
請求項９に記載の本発明は、流入口８に、浴槽１以外からの排水が流入口８を介して接続部内部に流入した際には通水許可するとともに、接続部材５内部の排水が流入口８を介して接続部材５外へ逆流することを防止する逆流防止弁Ｂを配置構成したことから、防水パン２（浴槽パン２１）上に排水が発生した際は逆流防止弁Ｂが流入口８を開口しているので円滑に取水部材４へと排水することが出来る上に、洗い場などから多量の排水が排水された場合に、排水トラップの排水の排出が追いつかず浴槽パン２１上に排水が逆流しそうになったとしても、逆流防止弁Ｂが流入口８を閉口するので排水が防水パン２上へ逆流することがない。
請求項１０に記載の本発明は、逆流防止弁Ｂをスイング式逆流防止弁Ｂとしたことから、排水の圧力や流れに機敏に対応することがきるので、逆流防止弁Ｂの反応性が非常に高くなった。
請求項１１に記載の本発明は、フランジ部材３の当接部７を、フランジ部材３の下端から内側方向に向かって突出して構成したことから、取水部材４側に当接部７を構成するよりも、接着などの作業を行うことなく簡易な方法で当接部７を構成することができる。
請求項１２に記載の本発明は、前記水密部材６を蛇腹形状としたことから、浴槽１を防水パン２上に設置する際に、接続部と当接部７の位置合わせを水密部材６の蛇腹で垂直方向の位置調整をすることができるので、非常に施工性が向上した。
請求項１３に記載の本発明は、前記接続部材５に遠隔操作式排水栓装置用のレリースワイヤ挿入口５１を構成したことから、より低床化とした排水装置にレリースワイヤの挿入口の寸法を十分にとることができるようになった。
請求項１４に記載の本発明は、接続部材５のレリースワイヤ挿入口５１から浴槽１の排水口１１までに、レリースワイヤーの挿入用ガイドを構成したことから、レリースワイヤの施工時において接続部材５にレリースワイヤを挿入時にガイドが構成されているのでレリースワイヤがガイドにガイドされて円滑に所定の位置まで配置することができるようになり、非常に施工性が向上した。
【図面の簡単な説明】
【００２８】
【図１】本発明の実施例１の浴室の断面図である。
【図２】本発明の実施例１を示す断面図である。
【図３】（Ａ）本発明の実施例１の接続部材の上面図である。（Ｂ）本発明の実施例１の接続部材の底面図である。
【図４】（Ａ）本発明の図２（Ａ）における接続部材のＣ−Ｃ’断面図である。（Ｂ）本発明の図２（Ａ）における接続部材のＡ−Ｏ−Ａ’断面図である。（Ｃ）本発明の図２（Ａ）における接続部材のＢ−Ｂ’断面図である。
【図５】（Ａ）本発明の実施例１における、逆流防止弁が閉口している状態を示す断面図である。              （Ｂ）本発明の実施例１における、逆流防止弁が開口している状態を示す断面図である。
【図６】本発明の実施例１を示す展開図である。
【図７】本発明の実施例１を示す斜視図である。
【図８】（Ａ）（Ｂ）本発明の実施例１を示す斜視断面図である。
【図９】本発明の実施例２を示す断面図である。
【図１０】本発明の実施例３を示す断面図である。
【図１１】従来例を示す断面図である。（特許文献１）
【図１２】従来例を示す断面図である。（特許文献２）
【発明を実施するための形態】
【実施例１】
【００２９】
本実施例の排水装置は、図１に示すように浴室に取り付けられる。尚、当該浴室に用いられる排水設備の説明をする。
浴室は、使用者が体を洗う洗い場パン２２と、浴槽１が載置される浴槽パン２１とから成る防水パン２によって構成され、それぞれの防水パン２には排水用の開口部２３が構成されている。
浴槽パン２１には裏面に取水部材４が配置構成され、取水部材４は排水トラップの排水枝管に管体などを介して接続される。取水部材４は断面視Ｌ字状の配管部材であって、浴槽１内の排水及び、浴槽パン２１上に発生した排水を排水トラップ側へと排出する。
また洗い場パン２２の開口部２３には、排水トラップが配置構成されており、洗い場パン２２上に発生した排水は開口部２３を介して排水トラップ内へと排水される。また、前記取水部材４は排水トラップの排水枝管に接続されている為、取水部材４内の排水も排水トラップ内へと排水されることとなる。排水トラップ内の排水は、最終的には排出口から下水管へと排水されることとなる。
本実施の排水設備である浴室に備えられる排水装置は、図１乃至図８に示すように、浴槽１と、防水パン２としての浴槽パン２１と、フランジ部材３と、取水部材４と、当接部７と、接続部材５と、水密部材６と、から構成される。
浴槽１は、箱体であって、底部に浴槽１内の排水を排出する為の排水口１１を開口している。また、当該排水口１１には、排水栓１２と呼ばれる、外周に雄ねじを刻設した円筒体に上端に外側方向に凸出する鍔を構成した部材を水密的に取り付ける。
浴槽パン２１は、浴槽１を載置する防水パン２であって、洗い場パン２２の横に配置される。また、底部には浴槽１からの排水及び浴槽パン２１上の排水を下水へと排水するための開口部２３を開口して構成している。
フランジ部材３は、後記する取水部材４を浴槽パン２１に取り付けるための部材であって、外周に雄ねじを刻設する円筒状かつ上端に外側方向に向けて突出して構成するフランジを備える。また、本実施例は、フランジ部材３下端内周から内側（中心）方向に向かって飛び出して構成する後記する当接部７を一体的に構成する。当接部７は、適宜箇所に浴槽１からの排水及び浴槽パン２１からの排水が流入する為の流入部７１を開口している。また、当接部７をフランジ部材３の下端に配置しているので、後記するレリースワイヤ挿入口５１分の隙間寸法が構成されるようになり、余裕を持ってレリースワイヤ挿入口５１を構成することが出来る。
取水部材４は、断面視Ｌ字状のエルボ体であって、排水が流入する入口４１と、排水が流出する出口４２を構成している。また、入口４１上端には、外側方向に向かって突出して構成される上面部４３が構成されている。そして、入口４１内周面には、前記フランジ部材３の雄ねじが螺合する雌ねじが螺設して構成される。また、上面部４３は浴槽パン２１の開口部２３周縁の裏面に当接する。
当接部７は、フランジ部下端内周に内側方向に向かって突出して構成するフランジである。この当接部７は浴槽１からの排水及び防水パン２からの排水が流入する流入部７１を開口構成している。また、当接部７は、後記する水密部材６を介して接続部材５が水密的に当接される。この当接部７は、取水部材４の上面部４３より下方となる箇所に配置構成される。そして、当接部７は封水面よりも低位、すなわち封水中に配置されている。
接続部材５は、図３、図４に示すように、浴槽１の排水栓１２に接続される部材であって、上端に排水栓１２の雄ねじと螺合する雌ねじを構成した円筒状の筒体から構成される。当該接続部材５は、下端に水密部材６を配置するとともに、側面に浴槽パン２１からの排水の流入する流入口８を開口している。また、この流入口８には、図５に示すように、浴槽１以外からの排水、具体的には浴槽パン２１上に発生した排水が流入口８を介して接続部内部に流入した際には開口し、また、接続部材５内部の排水が流入口８を介して接続部材５外へ逆流することを防止する逆流防止弁Ｂを配置した。この逆流防止弁Ｂは、いわゆるスイング式弁を用いており、排水の流れや圧力に機敏に反応して図５（Ａ）、図５（Ｂ）のように開口／閉口することができる。また、接続部材５は水密部材６を介して当接部７の流入部７１周縁を水密的に閉塞する。このようにすることで、浴槽１内の排水は排水口１１、接続部材５、水密部材６、当接部７の流入部７１、取水部材４の入口４１を介して直接的に取水部材４内に排水されることとなる。
また、接続部材５には、側面にレリースワイヤ挿入口５１が構成されており、遠隔操作式排水栓装置のレリースワイヤが挿通される。当該遠隔操作式排水栓装置は、浴槽１の排水口１１に構成された弁体を、浴槽１の上縁に構成された操作部の操作によって弁体が上下動し、浴槽１の排水口１１の開栓及び閉栓をコントロールするものである。当該レリースワイヤは、接続部材５のレリースワイヤ挿入口５１から取水部材４内を挿通し、浴槽１の排水口１１を介して排水栓１２内部に配置される。
また、接続部材５には図３、図４のようにレリースワイヤ挿入用ガイド５２が構成されている。レリースワイヤ挿入用ガイド５２は、接続部材５の内面側の上端面（裏面）にレリースワイヤ挿入口５１から排水口１１が接続される雌ねじ部分まで連接する傾斜状のリブであって、レリースワイヤ挿入口５１から挿入されたレリースワイヤは、当該レリースワイヤ挿入用ガイド５２によってガイドされるので、ワイヤー先端が引っかかったりすることなく円滑に浴槽１排水口１１までガイドすることができる。
水密部材６は、蛇腹形状であって、前記接続部材５の下端に接続されるゴムなどから成るパッキンが取り付けられている。水密部材６の下端は、前記当接部７に当接されることとなる。水密部材６は蛇腹形状である為、軸方向に伸縮可能となっている。
【００３０】
上記の実施例の排水装置は、以下のように取り付けられる。
施工現場にて、浴槽１の排水口１１に排水栓１２を取付け浴槽１の排水口１１に排水栓１２の鍔を係止させ、浴槽１下方から接続部材５の雌ねじを排水栓１２の雄ねじに螺合させることによって、浴槽１排水口１１を挟持するように排水栓１２と接続部材５が浴槽１に取り付けられる。そして、接続部材５に水密部材６を取り付ける。また、洗い場パン２２の開口部２３に排水トラップを取り付ける。当該排水トラップは、下水からの異臭や害虫の室内側への逆流を、内部に貯水した封水により防止するものである。また、浴槽パン２１の開口部２３に取水部材４を取り付ける。この取水部材４の取付は、フランジ部材３によって行われる。具体的には、浴槽パン２１の開口部２３に上面からフランジ部材３のフランジを係止させ、浴槽パン２１の裏面から取水部材４の上面部４３を防水パン２の開口部２３周縁の裏面に当接させ、フランジ部材３の雄ねじと取水部材４の入口４１に形成した雌ねじを螺合させる。そうすると、浴槽パン２１の開口部２３に取水部材４をフランジ部材３とで挟持するようにして取り付けることが出来る。また、その後、取水部材４の出口４２と排水トラップの枝管を水密的に接続して取付が完了する。尚、本実施例では、取水部材４の出口４２と排水トラップの枝管を施工現場にて取り付けているが、予め工場などで接続しておき、施工現場では排水トラップと洗い場パン２２、取水部材４と浴槽パン２１の取付のみ行っても良い。
そして、浴槽１の排水口１１を当接部７上面位置にくるように浴槽パン２１に載置する。このとき、浴槽１の排水口１１は、フランジ部材３の当接部７に開口した流入部７１の上にくるように位置調整しつつ浴槽１を載置する。そうすると、接続部材５下端に取り付けた水密部材６が当接部７の流入部７１上に水密的に当接するので、浴槽１内の排水は浴槽パン２１上に流出することなく円滑に取水部材４内に排水される。また、接続部材５と当接部７の当接に関しては、上下方向（軸方向）の位置ズレに関しては水密部材６の蛇腹によって吸収することができる。そして、水平方向（当接部７の面方向）の位置ズレに関しては、当接部７を接続部より大きく構成することで、上面部４３上で位置ズレを吸収することができる。
また、この後に遠隔操作式排水栓装置の取り付けを行うが、接続部材５のレリースワイヤ挿入口５１にレリースワイヤを挿通させ、接続部材５のガイドにガイドさせつつレリースワイヤを浴槽１の排水口１１内に配置するようにし、その後ワイヤー受け部材等によって排水栓１２内にレリースワイヤを固定し、弁部材をレリースワイヤ先端に取り付けて施工は完了する。
以上のようにして施工が完了する。
【００３１】
上記の構成の排水装置は以下のような排水の流れである。
洗い場パン２２上に排水が発生した際には、洗い場パン２２の開口部２３から排水トラップ内に排水が排水される。排水トラップ内の排水は、防臭パイプを通過し、オワン部内に排水され、防臭パイプ下端とオワン部底部の隙間から排水は流れ、オワン部から溢れ、最終的には排出口から下水へと排水されることとなる。
また、浴槽１内の排水は、浴槽１の排水口１１から排水栓１２を介して排水されるが、排水栓１２から接続部材５、当接部７の流入部７１、取水部材４の入口４１を介して取水部材４へと排水される。その後、取水部材４内の排水は取水部材４の出口４２から枝管へ排水され、最終的には排水トラップへと排水される。
浴槽パン２１上に発生した排水は、接続部材５に構成した流入口８を介して取水部材４内に流入する。その後、排水は取水部材４の出口４２から排水トラップの枝管を介し、排水トラップへと排水される。また、流入口８には逆流防止弁Ｂが配置されているので、取水部材４内の排水が大量であった場合などで排水が逆流したとしても、逆流防止弁Ｂが流入口８を閉塞する為、排水が浴槽パン２１上にあふれ出ることはない。
【実施例２】
【００３２】
第２実施例の排水装置は、図９に示すように浴室に取り付けられる。尚、当該浴室に用いられる排水設備の説明については第一実施例と同一の為省略する。
本実施例の排水設備である浴室に備えられる排水装置は、図９のように、浴槽１と、防水パン２としての浴槽パン２１と、取水部材４と、固定部材９と、当接部７と、接続部材５と、水密部材６と、から構成される。
浴槽１は、箱体であって、底部に浴槽１内の排水を排出する為の排水口１１を開口している。また、当該排水口１１には、排水栓１２と呼ばれる、外周に雄ねじを刻設した円筒体に上端に外側方向に凸出する鍔を構成した部材を水密的に取り付ける。
浴槽パン２１は、浴槽１を載置する防水パン２であって、洗い場パン２２の横に配置される。また、底部には浴槽１からの排水及び浴槽パン２１上の排水を下水へと排水するための開口部２３を開口して構成している。また、浴槽パン２１裏面の開口部２３周縁には、後述する固定部材９のビスと螺合する雌ねじを構成している。
取水部材４は、断面視Ｌ字状のエルボ体であって、排水が流入する入口４１と、排水が流出する出口４２を構成している。取水部材４の入り口内周には、後述の当接部７の雄ねじと螺合する雌ねじを構成している。また、入口４１上端には、外側方向に向かって突出して構成される上面部４３が構成されている。この上面部４３には、後記する固定部材９であるビスが挿通する貫通孔が構成されている。また、上面部４３は浴槽パン２１の開口部２３周縁の裏面に水密的に当接する。
取付部は、取水部材４を浴槽パン２１の開口部２３周縁裏面から取り付けるための部材であって、本実施例では雄ねじを備えたビス部材である。
当接部７は、本実施例では取水部材４の入り口の雌ねじに螺合する雄ねじを外周に構成したカバー上の部材である。この当接部７は浴槽１からの排水及び防水パン２からの排水が流入する流入部７１を開口構成している。また、当接部７は、後記する水密部材６を介して接続部材５が水密的に当接される。そして、当該当接部７は、取水部材４の上面部４３よりも下方となる箇所に配置、構成される。また、この実施例においては、取水部材４に直接的にネジで螺合して当接部７を構成しているので、高さ方向をこの当接部７の位置によって調整することも可能である。
そして、当該当接部７には、浴槽パン２１上の排水を取水部材４内へと流入させるための流入口８も開口して構成される。尚、この流入口８には、浴槽１以外からの排水、具体的には浴槽パン２１上に発生した排水が流入口８を介して接続部内部に流入した際には開口し、また、接続部材５内部の排水が流入口８を介して接続部材５外へ逆流することを防止する逆流防止弁Ｂを配置した。この逆流防止弁Ｂは、いわゆるスイング弁を用いており、排水の流れや圧力に機敏に反応して開口／閉口することができる。
接続部材５は、浴槽１の排水栓１２に接続される部材であって、上端に排水栓１２の雄ねじと螺合する雌ねじを構成した円筒状の筒体から構成される。当該接続部材５は、施工状態において下端に水密部材６が配置される。また、接続部材５は水密部材６を介して当接部７の流入部７１周縁を水密的に閉塞する。このようにすることで、浴槽１内の排水は排水口１１、接続部材５、水密部材６、当接部７の流入部７１、取水部材４の入口４１を介して直接的に取水部材４内に排水されることとなる。
また、接続部材５には、側面にレリースワイヤ挿入口５１が構成されており、遠隔操作式排水栓装置のレリースワイヤが挿通される。当該遠隔操作式排水栓装置の説明は第一実施例と同一のため省略する。
水密部材６は、スポンジパッキンやゴム製のパッキンであって、前記接続部材５の下端に配置される。本実施例では、予め当接部７の所定の位置に水密部材６を配置しておき、その後浴槽１の排水口１１に取り付けられた接続部材５が水密部材６の上に載置する事で、接続部材５と当接部７の接続を水密的に行うことができるものである。また、水密部材６は材質をスポンジパッキンなどの高さ方向を吸収することができる素材から構成されているので、軸方向に伸縮可能となっている。
【００３３】
上記の実施例の排水装置は、以下のように取り付けられる。
施工現場にて、浴槽１の排水口１１に排水栓１２を取付け浴槽１の排水口１１に排水栓１２の鍔を係止させ、浴槽１下方から接続部材５の雌ねじを排水栓１２の雄ねじに螺合させることによって、浴槽１排水口１１を挟持するように排水栓１２と接続部材５が浴槽１に取り付けられる。そして、接続部材５に水密部材６を取り付ける。また、洗い場パン２２の開口部２３に排水トラップを取り付ける。当該排水トラップは、下水からの異臭や害虫の室内側への逆流を、内部に貯水した封水により防止するものである。また、浴槽パン２１の開口部２３に取水部材４を取り付ける。この取水部材４の取付は、固定部材９によって行われる。具体的には、浴槽パン２１の開口部２３周縁の裏面に取水部材４の上面部４３を当接させ、上面部４３に構成した貫通孔と浴槽パン２１裏面の開口部２３周縁に構成した雌ねじ孔とを合致させ、固定部材９であるビスの雄ねじを浴槽パン２１の雌ねじに螺合させる。そうすることによって、取水部材４が浴槽パン２１裏面の雌ねじと固定部材９のネジ螺合により取り付けることが出来る。そして、浴槽パン２１上面から、取水部材４の入口４１の雌ねじに当接部７の雄ねじを螺合させ、当接部７を取水部材４に構成する。このときに、当接部７の位置を、取水部材４の上面部４３よりも低くなる箇所に配置するように調整し、とりつける。
この様にして、取水部材４と浴槽パン２１の取付は完成するが、このときの取水部材４はフランジ部材３などで取り付けておらずに浴槽パン２１裏面からネジ等で取り付けていることから、浴槽パン２１の開口部２３周縁にフランジ部材３の継ぎ目が構成されない為、その継ぎ目箇所に汚れが溜まったりすることがなく、清掃も非常に容易である。
また、その後、取水部材４の出口４２と排水トラップの枝管を水密的に接続して取付が完了する。尚、本実施例では、取水部材４の出口４２と排水トラップの枝管を施工現場にて取り付けているが、予め工場などで接続しておき、施工現場では排水トラップと洗い場パン２２、取水部材４と浴槽パン２１の取付のみ行っても良い。
そして、水密部材６を当接部７に載置しておき、浴槽１の排水口１１を当接部７上面位置にくるように浴槽１を浴槽パン２１に載置する。このとき、浴槽１の排水口１１は、フランジ部材３の当接部７に開口した流入部７１の上にくるように位置調整しつつ浴槽１を載置する。そうすると、接続部材５下端が水密部材６に水密的に当接するので、浴槽１内の排水は浴槽パン２１上に流出することなく円滑に取水部材４内に排水される。また、接続部材５と当接部７の当接に関し、上下方向（軸方向）の位置ズレに関しては水密部材６の素材による伸縮によって吸収することができる。そして、水平方向（当接部７の面方向）の位置ズレに関しては、当接部７を接続部より大きく構成することで、上面部４３上で位置ズレを吸収することができる。
また、この後に遠隔操作式排水栓装置の取り付けを行うが、接続部材５のレリースワイヤ挿入口５１にレリースワイヤを挿通させ、レリースワイヤを浴槽１の排水口１１内に配置するようにし、その後ワイヤー受け部材等によって排水栓１２内にレリースワイヤを固定し、弁部材をレリースワイヤ先端に取り付けて施工は完了する。
以上のようにして施工が完了する。
【００３４】
上記の構成の排水装置は以下のような排水の流れである。
洗い場パン２２上に排水が発生した際には、洗い場パン２２の開口部２３から排水トラップ内に排水が排水される。排水トラップ内の排水は、防臭パイプを通過し、オワン部内に排水され、防臭パイプ下端とオワン部底部の隙間から排水は流れ、オワン部から溢れ、最終的には排出口から下水へと排水されることとなる。
また、浴槽１内の排水は、浴槽１の排水口１１から排水栓１２を介して排水されるが、排水栓１２から接続部材５、当接部７の流入部７１、取水部材４の入口４１を介して取水部材４へと排水される。その後、取水部材４内の排水は取水部材４の出口４２から枝管へ排水され、最終的には排水トラップへと排水される。
浴槽パン２１上に発生した排水は、当接部７に構成した流入口８を介して取水部材４内に流入する。その後、排水は取水部材４の出口４２から排水トラップの枝管を介し、排水トラップへと排水される。また、流入口８には逆流防止弁Ｂが配置されているので、取水部材４内の排水が大量であった場合などで排水が逆流したとしても、逆流防止弁Ｂが流入口８を閉塞する為、排水が浴槽パン２１上にあふれ出ることはない。
【実施例３】
【００３５】
第３実施例の排水装置は、図１０に示すように浴室に取り付けられる。尚、当該浴室に用いられる排水設備の説明については第一実施例と同一の為省略する。
本実施の排水設備である浴室に備えられる排水装置は、図１０のように、浴槽１と、防水パン２としての浴槽パン２１と、フランジ部材３と、取水部材４と、当接部７と、接続部材５と、水密部材６と、から構成される。
浴槽１は、箱体であって、底部に浴槽１内の排水を排出する為の排水口１１を開口している。また、当該排水口１１には、排水栓１２と呼ばれる、外周に雄ねじを刻設した円筒体に上端に外側方向に凸出する鍔を構成した部材を水密的に取り付ける。
浴槽パン２１は、浴槽１を載置する防水パン２であって、洗い場パン２２の横に配置される。また、底部には浴槽１からの排水及び浴槽パン２１上の排水を下水へと排水するための開口部２３を開口して構成している。
フランジ部材３は、後記する取水部材４を浴槽パン２１に取り付けるための部材であって、外周に雄ねじを刻設する円筒状かつ上端に外側方向に向けて突出して構成するフランジを備える。また、本実施例は、フランジ部材３下端内周から内側（中心）方向に向かって飛び出して構成する後記する当接部７を一体的に構成する。また、当接部７をフランジ部材３の下端に配置しているので、後記するレリースワイヤ挿入口５１分の隙間寸法が構成されるようになり、余裕を持ってレリースワイヤ挿入口５１を構成することが出来る。
取水部材４は、断面視Ｌ字状のエルボ体であって、排水が流入する入口４１と、排水が流出する出口４２を構成している。また、入口４１上端には、外側方向に向かって突出して構成される上面部４３が構成されている。そして、入口４１内周面には、前記フランジ部材３の雄ねじが螺合する雌ねじが螺設して構成される。また、上面部４３は浴槽パン２１の開口部２３周縁の裏面に当接する。
当接部７は、フランジ部下端内周に内側方向に向かって突出して構成するフランジである。この当接部７は浴槽１からの排水及び防水パン２からの排水が流入する流入部７１を開口構成している。また、当接部７は、後記する水密部材６を介して接続部材５が水密的に当接される。この当接部７は、取水部材４の上面部４３より下方となる箇所に配置構成される。
接続部材５は、浴槽１の排水栓１２に接続される部材であって、上端に排水栓１２の雄ねじと螺合する雌ねじを構成した円筒状の筒体から構成される。当該接続部材５は、下端に水密部材６を配置するとともに、上面部４３に浴槽パン２１からの排水の流入する流入口８を開口している。また、この流入口８には、浴槽１以外からの排水、具体的には浴槽パン２１上に発生した排水が流入口８を介して接続部内部に流入した際には開口し、また、接続部材５内部の排水が開口部２３を介して接続部材５外へ逆流することを防止する逆流防止弁Ｂを配置した。この逆流防止弁Ｂは、いわゆるフロート式弁を用いており、弁体の素材を１より軽い比重の発泡樹脂等で構成して排水の上昇／下降に合わせて弁体が浮遊／下降して流入口８を開口／閉口することができる。また、接続部材５は水密部材６を介して当接部７の流入部７１周縁を水密的に閉塞する。このようにすることで、浴槽１内の排水は排水口１１、接続部材５、水密部材６、当接部７の流入部７１、取水部材４の入口４１を介して直接的に取水部材４内に排水されることとなる。
また、接続部材５には、側面にレリースワイヤ挿入口５１が構成されており、遠隔操作式排水栓装置のレリースワイヤが挿通される。当該遠隔操作式排水栓装置は、浴槽１の排水口１１に構成された弁体を、浴槽１の上縁に構成された操作部の操作によって弁体が上下動し、浴槽１の排水口１１の開栓及び閉栓をコントロールするものである。当該レリースワイヤは、接続部材５のレリースワイヤ挿入口５１から取水部材４内を挿通し、浴槽１の排水口１１を介して排水栓１２内部に配置される。
水密部材６は、下端に広がるほど裾広がりとなるスカート状の構成であって、前記接続部材５の下端に接続され取り付けられている。素材はゴムなどの軟質部材、パッキン素材から構成される。水密部材６の下端は、前記当接部７に当接されることとなる。水密部材６はスカート形状である為、軸方向に伸縮可能となっている。
【００３６】
上記の実施例の排水装置は、以下のように取り付けられる。
施工現場にて、浴槽１の排水口１１に排水栓１２を取付け浴槽１の排水口１１に排水栓１２の鍔を係止させ、浴槽１下方から接続部材５の雌ねじを排水栓１２の雄ねじに螺合させることによって、浴槽１排水口１１を挟持するように排水栓１２と接続部材５が浴槽１に取り付けられる。そして、接続部材５に水密部材６を取り付ける。また、洗い場パン２２の開口部２３に排水トラップを取り付ける。当該排水トラップは、下水からの異臭や害虫の室内側への逆流を、内部に貯水した封水により防止するものである。また、浴槽パン２１の開口部２３に取水部材４を取り付ける。この取水部材４の取付は、フランジ部材３によって行われる。具体的には、浴槽パン２１の開口部２３に上面からフランジ部材３のフランジを係止させ、浴槽パン２１の裏面から取水部材４の上面部４３を防水パン２の開口部２３周縁の裏面に当接させ、フランジ部材３の雄ねじと取水部材４の入口４１に形成した雌ねじを螺合させる。そうすると、浴槽パン２１の開口部２３に取水部材４をフランジ部材３とで挟持するようにして取り付けることが出来る。また、その後、取水部材４の出口４２と排水トラップの枝管を水密的に接続して取付が完了する。尚、本実施例では、取水部材４の出口４２と排水トラップの枝管を施工現場にて取り付けているが、予め工場などで接続しておき、施工現場では排水トラップと洗い場パン２２、取水部材４と浴槽パン２１の取付のみ行っても良い。
そして、浴槽１の排水口１１を当接部７上面位置にくるように浴槽パン２１に載置する。このとき、浴槽１の排水口１１は、フランジ部材３の当接部７に開口した流入部７１の上にくるように位置調整しつつ浴槽１を載置する。そうすると、接続部材５下端に取り付けた水密部材６が当接部７の流入部７１上に水密的に当接するので、浴槽１内の排水は浴槽パン２１上に流出することなく円滑に取水部材４内に排水される。また、接続部材５と当接部７の当接に関しては、上下方向（軸方向）の位置ズレに関しては水密部材６のスカート形状が拡径したり縮径することによって高さ方向を吸収することができる。そして、水平方向（当接部７の面方向）の位置ズレに関しては、当接部７を接続部より大きく構成することで、上面部４３上で位置ズレを吸収することができる。
また、この後に遠隔操作式排水栓装置の取り付けを行うが、接続部材５のレリースワイヤ挿入口５１にレリースワイヤを挿通させ、レリースワイヤを浴槽１の排水口１１内に配置するようにし、その後ワイヤー受け部材等によって排水栓１２内にレリースワイヤを固定し、弁部材をレリースワイヤ先端に取り付けて施工は完了する。
以上のようにして施工が完了する。
【００３７】
上記の構成の排水装置は以下のような排水の流れである。
洗い場パン２２上に排水が発生した際には、洗い場パン２２の開口部２３から排水トラップ内に排水が排水される。排水トラップ内の排水は、防臭パイプを通過し、オワン部内に排水され、防臭パイプ下端とオワン部底部の隙間から排水は流れ、オワン部から溢れ、最終的には排出口から下水へと排水されることとなる。
また、浴槽１内の排水は、浴槽１の排水口１１から排水栓１２を介して排水されるが、排水栓１２から接続部材５、当接部７の流入部７１、取水部材４の入口４１を介して取水部材４へと排水される。その後、取水部材４内の排水は取水部材４の出口４２から枝管へ排水され、最終的には排水トラップへと排水される。
浴槽パン２１上に発生した排水は、接続部材５に構成した流入口８を介して取水部材４内に流入する。その後、排水は取水部材４の出口４２から排水トラップの枝管を介し、排水トラップへと排水される。また、流入口８には逆流防止弁Ｂが配置されているので、取水部材４内の排水が大量であった場合などで排水が逆流したとしても、逆流防止弁Ｂが流入口８を閉塞する為、排水が浴槽パン２１上にあふれ出ることはない。
【００３８】
前記した実施例のほか、本発明の排水装置は、特許請求の範囲を越えない範囲で適宜変更は可能である。
例えば、上記実施例では、取水部材４をエルボ状に構成しているが、これが例えば排水トラップであってもかまわない。
また、上記実施例では接続部材５を円筒状としているが、特に円筒状である必要はなく、例えば多角形状でもかまわない。
また、水密部材６の形状に関しても上記の構成に限定されることはない。
【符号の説明】
【００３９】
１    浴槽
１１  排水口
１２  排水栓
２    防水パン
２１  浴槽パン
２２  洗い場パン
２３  開口部
３    フランジ部材
４    取水部材
４１  入口
４２  出口
４３  上面部
５    接続部材
５１  レリースワイヤ挿入口
５２  レリースワイヤ挿入用ガイド
６    水密部材
７    当接部
７１    流入部
８      流入口
９      固定部材
Ｂ      逆流防止弁
【図１】
2014129699.tif 000003
【図２】
2014129699.tif 000004
【図３】
2014129699.tif 000005
【図４】
2014129699.tif 000006
【図５】
2014129699.tif 000007
【図６】
2014129699.tif 000008
【図７】
2014129699.tif 000009
【図８】
2014129699.tif 000010
【図９】
2014129699.tif 000011
【図１０】
2014129699.tif 000012
【図１１】
2014129699.tif 000013
【図１２】
2014129699.tif 000014